(57)【要約】      （修正有）【課題】栽培基盤材を軽量化した花壇を提供する。【解決手段】所定長さで輪切りにされ、その周面をほぼ直径方向に貫通する横孔が刻設された間伐材を複数本連設し、該横孔に線状体を挿通して一体化させることで構成される土留め枠材の枠内に、植物栽培基盤材を配置したものであって、該植物栽培基盤材は、細断した稲藁スサを水に浸漬して発酵させて得たスサ発酵液に細断紙を浸漬して細断紙を一部溶解し、該一部溶解物に稲藁スサを加えて混練したもの、或いはこれを成形し乾燥させたものである。【選択図】図１
0003166169.tif 000002
【実用新案登録請求の範囲】
【請求項１】
所定長さで輪切りにされ、その周面をほぼ直径方向に貫通する横孔が刻設された間伐材を複数本連設し、該横孔に線状体を挿通して一体化させることで構成される土留め枠材の枠内に、植物栽培基盤材を配置したものであって、該植物栽培基盤材は、細断した稲藁スサを水に浸漬して発酵させて得たスサ発酵液に細断紙を浸漬して細断紙を一部溶解し、該一部溶解物に稲藁スサを加えて混練したもの、或いはこれを成形し乾燥させたものであることを特徴とする花壇。
【請求項２】
該横孔は、該輪切りにされた間伐材１本について２つ、高さを変えて平行に刻設されているものである請求項１記載の花壇。
【請求項３】
該土留め枠材の枠内には貯水部として、外縁が立ち上がった防水性シートが設けられているものである請求項１又は２記載の花壇。
【請求項４】
該一部溶解物に稲藁スサを加えて混練する際、稲藁スサと共に、おが屑・稲籾殻・ゼオライト粉粒体の中の１種又は複数種を混入させたものである請求項１、２又は３記載の花壇。
【請求項５】
該一部溶解物に稲藁スサを加えて混練する際、稲藁スサと共に、水溶性接着剤を混入させたものである請求項１、２、３又は４記載の花壇。
【考案の詳細な説明】
【技術分野】
【０００１】
本考案は、新規な植物栽培基盤材が敷き詰められた花壇の構造に関するものである。
【背景技術】
【０００２】
現在、建物の屋上緑化には、軽量なこともあって苔や芝生を用いることが盛んに研究されている。中でも、芝は苔よりもボリュームがあって自由度も高いので、様々なタイプのものが開発されている。
【０００３】
またこうした芝や苔を栽培する基盤材として天然土壌は、重量がありすぎるということから、軽量化を図るべく様々な方策が提案されている。例えば、故紙や細断くず等を再生処理して得た故紙パルプに粘着剤や接着剤を混練して所定厚みの基布を形成し、その基布に植生材料（芝）を貼着した張芝体（特許文献１）とか、天然繊維や紙、パルプなどの天然素材の繊維の集合体で加工された開口率５〜６０％の網状で厚み５〜４０ｍｍの芝養生マット（特許文献２）とか、紙を乾式で破砕または粉砕して得られる綿状パルプと種子とが混在する播種・生育床用材料（特許文献３）などがある。
【先行技術文献】
【特許文献】
【０００４】
【特許文献１】特開平１１−１７８４４１号公報
【特許文献２】特開平０５−００００２４号公報
【特許文献３】特開平０６−１４１６２２号公報
【考案の概要】
【考案が解決しようとする課題】
【０００５】
これらは、いずれも故紙などを利用して芝の種子などを含有させて裸地などに施工するものであって、前二者は故紙などを接着剤で固めるものであり、芝の種子は故紙などと一体化されて施工されるものである。又後者は、綿状の故紙などと種子が混合されており、いずれも種子状態で提供される。従って、これらは芝の発芽や生育に時間が掛かる難点がある。
【０００６】
また、建物の屋上緑化を例に挙げると、屋上の全面を緑化するという場合もあるが、ある限られた部分のみを緑化対象とすることも多い。その場合こうした植物栽培基盤材を区画して配置することになるが、建物屋上は地面と異なり杭打ちができないので何らかの容器を配置しその容器内に植物栽培基盤材を敷き並べるということになる。しかし美観に優れたものがなかった。
【課題を解決するための手段】
【０００７】
そこで本考案者は、上記諸点に鑑み鋭意研究の結果遂に本考案に係る花壇を完成させたものであり、その特徴とするところは、所定長さで輪切りにされ、その周面をほぼ直径方向に貫通する横孔が刻設された間伐材を複数本連設し、該横孔に線状体を挿通して一体化させることで構成される土留め枠材の枠内に、植物栽培基盤材を配置したものであって、該植物栽培基盤材は、細断した稲藁スサを水に浸漬して発酵させて得たスサ発酵液に細断紙を浸漬して細断紙を一部溶解し、該一部溶解物に稲藁スサを加えて混練したもの、或いはこれを成形し乾燥させたものであるという点にある。
【０００８】
即ち本考案に係る花壇は、植物栽培基盤材を囲繞する土留め枠材が輪切りにされた間伐材を連結したものである点に第一の特徴がある。間伐材に新しい用途を見つけることとなるがそれだけではなく、自然木を並べて成る枠体というものが見せる外観は、屋上緑化の設置思想と良くマッチし、好感の持てる屋上としやすい。なお、本考案に係る花壇は、建物屋上に限らず様々な利用方法がある。アスファルト舗装面上に設置することも容易であるし、数ヶ月開催され期間が終了したら撤収する催し物会場等に用いても便利な花壇である。
【０００９】
第二の特徴は、土留め枠材の枠内に配置される植物栽培基盤材それ自体である。植物栽培基盤材は、細断した稲藁スサを水に浸漬して発酵させて得たスサ発酵液に細断紙を浸漬して細断紙を一部溶解し、該一部溶解物に稲藁スサを加えて混練したもの、或いはこれを成形し乾燥させたものである。
【００１０】
「スサ発酵液」とは、細断した稲藁スサを水に浸漬して発酵させたものである。本考案花壇の枠体内に配置される植物栽培基盤材を得るには、まずこのスサ発酵液を作る必要がある。作り方の一例を示すと、まず大きなポリバケツに稲藁４０Ｌ程度を投入し更に水１０〜３０Ｌを注水した後１〜４ヶ月間放置しておくだけでできる。この上澄み液がスサ発酵液である。放置期間中に数回撹拌すると反応が良好になる。上澄み液（スサ発酵液）を取ったあとのポリバケツにまた水を加え放置しておくと、数ヶ月で再度スサ発酵液を得ることができる。このような操作を３回程度繰り返すと藁が溶けその繊維が視認できなくなってゆく。従ってスサ発酵液を継続して得るには、ポリバケツ内に細断した稲藁スサを断続的に補充投入する。また、スサ発酵液材料として稲藁スサは必須であるが、稲籾殻を混ぜても良い。その場合混入させる稲籾殻の量は、稲藁スサ量の１／２乃至１／４程度とするのが好ましい。稲籾殻を加えることで発酵に要する期間を幾分（３ヶ月程度かかるのが２ヶ月程度に）短縮させることができる。但し、稲籾殻を投入して得られたスサ発酵液を用いることは本考案の必須要件とはしない。
【００１１】
こうして得られたスサ発酵液に、細断紙を浸漬してこれを一部溶解させる。例えば、大きなポリバケツに細断紙４０Ｌ程度を入れ、ここにスサ発酵液を２０〜４０Ｌ程度注ぎ、数日放置しておく（この間に数回撹拌すると好適である）と、細断紙が一部溶解した状態となる。細断紙とは、紙（本考案者は古新聞や不要雑誌、廃棄事務用紙などの廃物を想定しているが本考案自体は廃物紙に限定しない）を、幅５ｍｍ、長さ５０ｍｍ程度に細断したものを言う。
【００１２】
次に、一部溶解した細断紙とスサ発酵液の混合物（これを一部溶解物と呼ぶ）に、稲藁スサを加えて混練する。加える稲藁スサの重量は、一部溶解物の０．１〜２とする。混練されたものが乾燥すれば植物栽培基盤材となる。なお混練する際、稲藁スサと共に、おが屑・稲籾殻・ゼオライト粉粒体、等を吸水材として加えても良い。これらを一部溶解物に対して０．１〜０．３加えておくと成形までの乾燥が速まり、成形後には逆にこれらが保水することで乾燥を防ぐ効果を発揮する。更に、混練物に肥料（速効性、遅効性いずれも採用可能）を添加しておいても効果的であるし、水溶性の接着剤を混入させておくと乾燥後の植物栽培基盤材の強度が向上する。
【００１３】
混練後の乾燥は、成形型に混練物を入れて自然乾燥させても良いし、例えば成形型の大きさをカット芝の大きさに合わせておきこの型内に混練物を入れた後カット芝を置いて加圧しながら乾燥させるようにしても良い。いずれの場合にも、成形型の下にネットや織物を配置しておくと脱水が促進され乾燥時間の短縮が図れる。成形型の寸法は自由であるが市販のカット芝程度の大きさであれば取り扱いに慣れていることが多いことから、２０〜３０ｃｍ四方程度の広さで２０〜４０ｍｍ程度の厚みのものが使いやすいのではないかと思われる。しかし、「土留め枠材」が小さな（例えば１〜２平米程度）ものの場合には、この枠内に混練物を入れて乾燥させるようにしても良い。但し乾燥には１０日〜２週間程度の時間が必要であることから、「土留め枠材」を既製品化しておき、例えば「円形１平米用」「楕円形２平米用」の植物栽培基盤材を予め工場生産するといった方策を採ることが好ましい。
【００１４】
「土留め枠材」は、所定長さで輪切りにされ、その周面をほぼ直径方向に貫通する横孔が刻設された間伐材を複数本連設し、該横孔に線状体を挿通して一体化させることで構成されるものである。
【００１５】
使用する間伐材の種類や大きさは特に限定はしない。美観上は直径１０〜２０ｃｍ程度が適当ではないかと思われる。これを所定長さで輪切りにする。ここで言う所定長さは、予め設定された長さという意味であるが１種類であるとは限らない。輪切りにされた間伐材は、床面（建物屋上面やアスファルト舗装面）に置かれるものであるので底面を揃えて配置されるが、天面は必ずしも揃っている必要はない。多少寸法が違っていても支障ないし、デザイン上の要望があれば敢えて複数種の長さに輪切りするようにしても良い。但し花壇として機能するものであることを勘案すると、最低長さを２０ｃｍ程度とするのが好適であると思われる。
【００１６】
輪切りにされた間伐材には横孔が刻設される。この横孔は、隣接する輪切り間伐材の横孔と概ね高さが揃っていることが好ましい。また横孔の刻設数は、輪切り間伐材１本について１つとしても良いが、外力を受けた時に、隣接する輪切り間伐材に対して回転してしまう恐れがあるので、高さを変えたもう１孔を平行に設けておくと好適である。そして、設定本数の輪切り間伐材の横孔に、線状体（紐や針金）を挿通させ、結着する。これによって全輪切り間伐材は環状に一体化される。上下２孔タイプの場合には、二重の線状体で結着されることとなる。
【００１７】
こうして間伐材は、土留め枠材となる。この土留め枠材の枠内に植物栽培基盤材を配置したものが本考案花壇である。この枠内に植物栽培基盤材をそのまま置いても良いが、降雨水を溜めておくために、土留め枠材の底部分に貯水部を形成させた後、植物栽培基盤材を配置すると管理が容易になる。この貯水部は例えば、防水性シートを敷き、土留め枠材の内壁部分でわずか（２０〜５０ｍｍ程度）折り立てておくだけで完成する。ここに植物栽培基盤材が入るので、自身の形状を保つことができる。貯水量調整のための開閉式排水口を付設しておけば貯水部の水を排出することで、水量過多による根腐れにも対応でき更に好適な構造となる。
【考案の効果】
【００１８】
本考案に係る花壇は、以下述べる如き効果を有する極めて有用な考案である。
【００１９】
（１）  土留め枠材の材料は間伐材、植物栽培基盤材の材料は古新聞や雑誌等の廃物と、稲藁スサ、場合によってはこれらに稲籾殻やおが屑、といったものであるので、極めて安価に得ることができる。
（２）  土代替品として使用する植物栽培基盤材は、軽量であることから設置作業が簡便であり、運搬や保管も容易である。
（３）  輪切りした丸太を立て並べて花壇の外枠が構成されているので、コンクリートやプラスチック、金属等に比して、優しい外観となる。
【図面の簡単な説明】
【００２０】
【図１】本考案に係る花壇の一例を示す概略分解斜視図である。
【図２】（ａ）乃至（ｄ）は、間伐材を加工して土留め枠材とするまでの工程を経時的且つ概略的に示すものであり（ａ）乃至（ｃ）は斜視図、（ｄ）は平面図である。
【図３】（ａ）（ｂ）はいずれも本考案に係る花壇の他の例を示す斜視図である。
【図４】本考案に係る花壇に用いる植物栽培基盤材の製造方法の一例を概略的に示す斜視図である。
【考案を実施するための最良の形態】
【００２１】
以下図面に基づき本考案を更に詳細に説明する。
【実施例１】
【００２２】
図１は、本考案に係る花壇１（以下「本考案花壇１」という）の一例を示す概略分解斜視図である。図より明らかなように本例の本考案花壇１は、土留め枠材２、貯水部３、植物栽培基盤材４とにより構成されている。
【００２３】
土留め枠材２は、例えば図２（ａ）乃至（ｄ）に示す要領で製作される。
即ち、まず間伐材５（本例では直径約１０ｃｍ）を、所定寸法（本例では約２０ｃｍ）で輪切りにし、多数の輪切り間伐材５１を作る〔同図（ａ）〕。
次に、ドリル機等を用いて、全ての輪切り間伐材５１に、その直径方向に貫通する横孔５２を明ける〔同図（ｂ）〕。本例では、横孔５２を設ける高さ位置は、輪切り間伐材５１の半分、即ち高さ約１０ｃｍの位置とした。
そして、針金６をこの横孔５２に通して、輪切り間伐材５１を次々と連結してゆく〔同図（ｃ）〕。針金６の代わりに耐候性に優れた強靱な紐を用いても良い。
設計本数の輪切り間伐材５１を連結し終えたら両端を寄せ、針金６を結着し、環状にする〔同図（ｄ）〕。この時、全輪切り間伐材５１によって区画された内部空間Ｚが、花壇の主体である植物生育ゾーンである。本例の内部空間Ｚの形状はほぼ円形であるが、楕円その他にある程度変形させることができる。
【００２４】
なお、図２に示した例以外に、図３（ａ）（ｂ）の如き構造を採用しても良い。
まず同図（ａ）は、横孔５２を２孔タイプとした例である。当然針金６（若しくはこれに代わる紐等）は２本使用されることとなるが、この構造は、外力を受けて１本の輪切り間伐材５１だけが回転してしまう危険性が小さくなるという特徴があり、強度維持が図り易いという効果がある。
同図（ｂ）は、輪切り間伐材５１の高さを３種類（２５ｃｍ、２２ｃｍ、１９ｃｍ）とし、これをランダムに連結した例である。設置した時に輪切り間伐材５１の天面が不揃いとなるが、天然木である丸太部分が目を引き、高さを揃えたものとは異なる趣きのある花壇となすことができる。
【００２５】
貯水部３は、防水シートにより構成されている。但し周縁は折り立てて、約３０ｍｍのの高さの立ち上がり構造となっており、これによって降雨水が貯留されることになる。また本例では、この立ち上がり部分の１カ所には開口３１があり、ここに排水弁付きのパイプ部材３２が取設されており、状況によっては貯水部３に蓄えられた水を適宜排出できるようにしている。そして、パイプ部材３２位置に対向する位置にある輪切り間伐材５１には、このパイプ部材３２を挿通させる連通孔５３が刻設されている。但し貯水部３、或いはその排水機構は、本考案にとって必須要件ではないので省略しても良い。
【００２６】
植物栽培基盤材４は、土留め枠材２の内部空間Ｚにちょうど嵌る形のものである。本例では内部空間Ｚは、直径１ｍ弱の円形であり、広さは約０．７平米である。従って植物栽培基盤材４も概ねこの形状・広さのものである。
【００２７】
植物栽培基盤材４は既述したように基本的には、まずスサ発酵液を作り、このスサ発酵液に細断紙を投入して放置し、細断紙が一部熔解した状態でここに稲藁スサを加えて混練し、乾燥させて得られるものである。
本例においても概ねこの要領で製造したが、混練の際に稲藁スサ以外に、稲籾殻と水溶性接着剤、並びに粉体肥料を加えている。
【００２８】
また混練物を乾燥させるにあたっては、図４の如く、土留め枠材２の形状に合わせた成形型７を用いて予め工場生産したしたものを用いる。この成形型７は上下が開口されており底側にはネット７１が張設されている。この成形型７に混練物を投入し、高さをある程度掻き均して放置しておくと、ネット７１が和紙製造における「簀」の役を果たして排水が促進され乾燥時間の短縮が図れる。成形型７に１〜数日入れた後、反転させて混練物を型から外し、乾燥場所に移動させ、約１０〜２週間乾燥させたものが植物栽培基盤材４である。
【符号の説明】
【００２９】
１    本考案に係る花壇
２    土留め枠材
３    貯水部
３１  開口
３２  パイプ部材
４    植物栽培基盤材
５    間伐材
５１  輪切り間伐材
５２  横孔
５３  連通孔
６    針金
７    成形型
７１  ネット
Ｚ    内部空間
【図１】
0003166169.tif 000003
【図２】
0003166169.tif 000004
【図３】
0003166169.tif 000005
【図４】
0003166169.tif 000006